(57)【特許請求の範囲】
【請求項１】
長手方向（Ｃ）に延びる細長い本体（４）を備える剃刀の柄（２）であって、
前記細長い本体（４）は外表面（４Ｅ）を有するとともに第１の孔部（９）と、第２の孔部（１０）と、を設けられ、前記第１及び第２の孔部（９、１０）は前記細長い本体（４）の前記外表面（４Ｅ）に開口し、前記剃刀の柄（２）は第１のインサート（１１）及び第２のインサート（１２）をさらに備える、剃刀の柄（２）において、
前記第１及び第２のインサート（１１、１２）は、前記第１及び第２の孔部（９、１０）内にそれぞれ部分的に封止されており、前記第１及び第２のインサート（１１、１２）は球体であることを特徴とする剃刀の柄（２）。
【請求項２】
前記剃刀の柄（２）は前端部（２Ａ）と後端部（２Ｂ）との間に延び、前記後端部（２Ｂ）は前記前端部（２Ａ）に対向し、前記前端部（２Ａ）には接続手段（５）が設けられ、前記第１のインサート（１１）は前記前端部（２Ａ）の近傍に位置し、前記第１のインサート（１１）は前記第１の孔部（９）内で動くことができず、動くことができない前記第１のインサート（１１）はフィンガーレスト領域を形成することを特徴とする請求項１に記載の剃刀の柄（２）。
【請求項３】
前記第１のインサート（１１）は前記第１の孔部（９）内で可動であることを特徴とする請求項１に記載の剃刀の柄（２）。
【請求項４】
前記第２のインサート（１２）は前記第２の孔部（１０）内で動くことができず、動くことができない前記第２のインサート（１２）はフィンガーレスト領域を形成することを特徴とする請求項１〜３のいずれか一項に記載の剃刀の柄（２）。
【請求項５】
前記細長い本体（４）は一体要素であるとともにプラスティック及びゴムの中から選択された第１の材料（２２）を備えることを特徴とする請求項１〜４のいずれか一項に記載の剃刀の柄（２）。
【請求項６】
前記第１及び第２のインサート（１１、１２）は、前記細長い本体（４）の第１の材料（２２）の密度とは異なる密度を有する剛体材料から成ることを特徴とする請求項５に記載の剃刀の柄（２）。
【請求項７】
前記第１及び第２のインサート（１１、１２）は、金属、プラスティック、及びゴムの中から選択された材料を備えることを特徴とする請求項１〜６のいずれか一項に記載の剃刀の柄（２）。
【請求項８】
前記第１及び第２のインサート（１１、１２）のうちの前記少なくとも一方は、１０ｍｍ〜２０ｍｍの直径Ｄを有することを特徴とする請求項１〜７のいずれか一項に記載の剃刀の柄（２）。
【請求項９】
前記細長い本体（４）は、上面（４Ａ）及び下面（４Ｂ）を有し、前記下面（４Ｂ）は前記上面（４Ａ）に対向し、前記第１及び第２の孔部（９、１０）は、前記上面（４Ａ）と前記下面（４Ｂ）との間に延びる貫通孔であることを特徴とする請求項１〜８のいずれか一項に記載の剃刀の柄（２）。
【請求項１０】
長手方向（Ｃ）に延びる細長い本体（４）を備える剃刀の柄（２）であって、
前記細長い本体（４）は外表面（４Ｅ）を有するとともに第１の孔部（９）を設けられ、前記第１の孔部（９）は前記細長い本体（４）の前記外表面（４Ｅ）上に開口し、前記剃刀の柄（２）は第１のインサート（１１）をさらに備え、前記第１のインサートは、前記第１の孔部（９）内に部分的に封止された球体であり、前記剃刀の柄（２）は、断面では、第１の孔部（９）の近傍に、滑らかなコーナーを有する一般的な台形状形状（ＴＺ）を有することを特徴とする剃刀の柄（２）。
【請求項１１】
前記細長い本体（４）は、上面（４Ａ）及び下面（４Ｂ）を有し、前記下面（４Ｂ）は前記上面（４Ａ）に対向し、前記上面（４Ａ）の少なくとも一部（１９）及び前記下面（４Ｂ）の少なくとも一部（２０）は、第２の材料（２３）によって覆われており、それによって前記一部がそれぞれ少なくとも上側把持領域（１９）及び少なくとも下側把持領域（２０）を形成することを特徴とする請求項１〜１０のいずれか一項に記載の剃刀の柄（２）。
【請求項１２】
前記細長い本体（４）は、互いに対向するとともに前記上面（４Ａ）と前記下面（４Ｂ）との間で前記長手方向（Ｃ）に延びる２つの側面（４Ｃ、４Ｄ）を有し、前記側面（４Ｃ、４Ｄ）は、前記第２の材料（２３）から成る複数の滑らかなリブ（１６）を備え、前記滑らかなリブ（１６）のそれぞれが前記上側把持領域（１９）と、前記下側把持領域（２０）と、を一緒に接続していることを特徴とする請求項１１に記載の剃刀の柄（２）。
【請求項１３】
前記剃刀の柄（２）は前端部（２Ａ）と後端部（２Ｂ）との間に延び、前記後端部（２Ｂ）は前記前端部（２Ａ）に対向し、前記前端部（２Ａ）には、シェービングカートリッジ（３）への接続のための接続手段（５）が設けられていることを特徴とする請求項１〜１２のいずれか一項に記載の剃刀の柄（２）。
【請求項１４】
前記剃刀の柄（２）は、断面において、前記後端部（２Ｂ）の近傍に滑らかなコーナーを有する一般的な台形状の形状を有することを特徴とする請求項１３に記載の剃刀の柄（２）。
【請求項１５】
前記第１のインサート（１１）は前記前端部（２Ａ）の近傍に位置し、前記第２のインサート（１２）は前記後端部（２Ｂ）の近傍に位置することを特徴とする請求項１〜９のいずれか一項を引用する請求項１３に記載の剃刀の柄（２）。
【請求項１６】
前記第１のインサート（１１）は、前記前端部（２Ａ）から約３０ｍｍの前記長手方向（Ｃ）に沿って測定された距離Ｌ１１に位置する第１の点（１１Ａ）上に重心を置いていることを特徴とする請求項１５に記載の剃刀の柄（２）。
【請求項１７】
前記第２のインサート（１２）は、前記後端部（２Ｂ）から約２０ｍｍの前記長手方向（Ｃ）に沿って測定された距離Ｌ１２に位置する第２の点（１２Ａ）上に重心を置いていることを特徴とする請求項１５又は１６に記載の剃刀の柄（２）。
【請求項１８】
前記長手方向（Ｃ）に沿って測定された前記第１の点（１１Ａ）と前記第２の点（１２Ａ）との間の距離Ｌ１１−１２は、７０ｍｍ〜９０ｍｍであることを特徴とする請求項１６を引用する請求項１７に記載の剃刀の柄（２）。
【請求項１９】
前記側面（４Ｃ、４Ｄ）それぞれが、前記剃刀の柄（２）の前記前端部（２Ａ）の近傍に、離間して突出する複数のピン（１８）を備えることを特徴とする請求項１２又は請求項１２を引用する請求項１３に記載の剃刀の柄（２）。
【請求項２０】
前記第１の孔部（９）は内側壁（９Ａ）を有し、保持リング（１３）が、前記内側壁（９Ａ）から突出するとともに、前記第１の孔部（９）内の前記第１のインサート（１１）を維持するために前記第１のインサート（１１）を周状に少なくとも部分的に取り囲んでいることを特徴とする請求項１〜１９のいずれか一項に記載の剃刀の柄（２）。
【請求項２１】
前記第２の孔部（１０）は、長手方向（Ｃ）に延びる細長いバー（１４）によって分割され、前記細長いバー（１４）は、前記第２のインサート（１２）を前記第２の孔部（１０）内に維持するために、前記第２のインサート（１２）を周状に少なくとも部分的に取り囲む部分（１４Ａ）を備えることを特徴とする請求項１〜９のいずれか一項に記載の剃刀の柄（２）。
【請求項２２】
前記第２の孔部（１０）は内側壁（１０Ａ）を備え、前記第２の孔部は、互いに対向するとともに前記内側壁（１０Ａ）から突出し、かつ前記第２のインサート（１２）を前記第２の孔部（１０）内に維持するために前記第２のインサート（１２）の形状に部分的に補完的な形状を有する２つの突起（１５Ａ、１５Ｂ）をさらに備えることを特徴とする請求項１〜９のいずれか一項に記載の剃刀の柄（２）。
【請求項２３】
前記第１及び第２の孔部（９、１０）のそれぞれは、前記細長い本体（４）の内側に備えられた内部空間（９Ｂ、１０Ｂ）を区切り、前記第１及び第２のインサート（１１、１２）は、前記第１及び第２の孔部（９、１０）の前記内部空間（９Ｂ、１０Ｂ）よりそれぞれ小さなサイズを有することを特徴とする請求項１〜９のいずれか一項に記載の剃刀の柄（２）。
【請求項２４】
前記剃刀の柄（２）は、断面において、滑らかなコーナーを有する一般的に台形状の形状（ＴＺ）を有することを特徴とする請求項１〜２３のいずれか一項に記載の剃刀の柄（２）。
【請求項２５】
請求項１〜２４のいずれか一項に記載の剃刀の柄（２）と、該剃刀の柄（２）に接続されたシェービングカートリッジと、を備える剃刀。
【発明の詳細な説明】
【技術分野】
【０００１】
本発明は、剃刀の柄及び剃刀に関する。
【０００２】
より詳細には、本発明は、長手方向に延びる細長い本体を備える剃刀の柄に関し、前記細長い本体は外表面を有するとともに第１の孔部と第２の孔部とを設けられ、前記第１及び第２の孔部は細長い本体の前記外表面に開口し、前記剃刀の柄は第１のインサート（ｉｎｓｅｒｔ）及び第２のインサートをさらに備える。
【背景技術】
【０００３】
特許文献１は、そのような既知の剃刀の柄の例を開示しており、その剃刀の柄では、幾つかのインサートが剃刀の柄の異なる面に設けられ、それによって柄組立体に適当な重量を提供し、細長い本体の変形を防止している。
【０００４】
しかし、これらインサートは複雑な形状を有する幾つかの異なる部品から成り、したがって、そのようなインサートを設けられた剃刀の柄は組み立てること及び製造することが難しい。また、これらインサートそれぞれは、不注意で剃刀の柄から分離してしまう場合がある。
【先行技術文献】
【特許文献】
【０００５】
【特許文献１】国際公開第２００８／１４７１３３号パンフレット
【発明の概要】
【発明が解決しようとする課題】
【０００６】
本発明の１つの目的は、これら欠点を回避することである。より具体的には、本発明の１つの課題は、本発明に係る剃刀の柄の製造を容易にすることである。
【０００７】
他の課題は、使用者の髭剃り中の髭剃り感覚を改善することである。
【０００８】
また別の課題は、本発明に係る剃刀の柄に設けられたインサートのすべての予期しない分離を回避することである。
【課題を解決するための手段】
【０００９】
この課題は、本発明によれば、前記第１及び第２のインサートがそれぞれ部分的に前記第１及び第２の孔部内に封止されるという事実によって解決される。
【００１０】
インサートのおかげで、剃刀の柄は、大量生産されたシェーバーに対する利点を提供しつつ、正確かつ快適な髭剃りを確実にする適正な重量をも有することができる。
【００１１】
さらに、インサートが細長い本体内に封止されるので、インサートが第１及び第２の孔部から外れる可能性が無く、特に使用者によって孔から外される可能性が無い。また、そのような剃刀の柄は、より良い握りと、改善された抵抗とを有する。
【００１２】
インサートのおかげで、剃刀の柄はまた、快適な髭剃りを助長させる適正な重量を有することができる。これらインサートは、剃刀の柄が柄の形状にかかわらず良好なバランスを有することを可能にする。
【００１３】
さらに、本発明に係るそのような剃刀の柄は、インサートの材料を細長い本体の材料から分離することによって、容易に再生利用することができる。
【００１４】
本発明はまた、長手方向に延びる細長い本体を備える剃刀の柄にも関し、前記細長い本体は外面を有するとともに第１の孔部を備え、この第１の孔部は細長い本体の外面上に開口し、剃刀の柄は第１のインサートをさらに備え、この第１のインサートは球体であり、この球体は前記第１の孔部内に部分的に封止されており、剃刀の柄は、断面では、前記第１の孔部の近傍において滑らかなコーナーを有する一般的な台形状の形状を有する。
【００１５】
そのような剃刀の柄の有利な実施形態において、以下の１つ及び／又は他の特徴を組み込むことができる。
【００１６】
‐剃刀の柄は前端部と後端部との間に延び、後端部は前端部に対向し、前端部には接続手段が設けられ、第１のインサートは前端部の近傍に配置され、第１のインサートは第１の孔部内で動くことができず、動くことができない第１のインサートがフィンガーレスト領域を形成する。
その結果として、使用者はその指のうちの１つ又はいくつかを第１のインサートの上に置いて、柄を把持することができる。したがって、剃刀の柄は、そのような剃刀の柄によって良好な髭剃りの感覚を提供する。
【００１７】
‐第１のインサートは、第１の孔部内で可動である。
‐第２のインサートは第２の孔部内で動くことができず、動くことができない第２のインサートがフィンガーレスト領域を形成する。
その結果として、使用者はその指のうちの１つ又はいくつかを第２のインサートの上に置いて、柄を把持することができる。したがって、剃刀の柄は、そのような剃刀の柄によって良好な髭剃りの感覚を提供する。
【００１８】
」
‐細長い本体は一体要素であり、プラスティック及びゴムの中から選択された第１の材料を備える。
‐第１及び第２のインサートは、細長い本体の第１の材料の密度とは異なる密度を有する剛体材料で作られる。インサートが細長い本体の第１の材料の密度よりも大きな密度を有する材料を備えるときには、インサートの存在が、剃刀の柄の重量の増加をもたらし、この増加は髭剃り中の使用者の知覚を改善する。この重量の増加は、第１の材料の使用を減少させるとともに良好なシェーバーの柄の設計を依然として維持することによって達成することができる。したがって、剃刀の柄の大きさおよび形状は縮小されるが、依然として人間工学的形状を保持することができる。
【００１９】
‐第１及び第２のインサートは、金属、プラスティック、及びゴムの中から選択された材料を備える。
‐第１及び第２のインサートのうちの少なくとも１つは球状であり、第１及び第２のインサートのそれぞれを球状とすることができる。
‐第１及び第２のインサートそれぞれは、１０ｍｍ〜２０ｍｍの直径を有する。
‐細長い本体は、上面と下面とを有し、下面は上面に対向し、第１及び第２の孔部は前記上面と下面との間に延びる貫通孔である。
‐細長い本体は上面と下面とを有し、下面は上面に対向し、上面の少なくとも一部と下面の少なくとも一部とは第２の材料で覆われて、それによってこれら一部のそれぞれが、少なくとも上側把持領域及び下側把持領域を形成する。
【００２０】
‐細長い本体は、互いに対して対向し、上面と下面との間で長手方向に延びる２つの側面を有し、前記側面は第２の材料から成る複数の滑らかなリブを備え、前記滑らかなリブのそれぞれは、上側把持領域と下側把持領域とをともに接続している。
‐剃刀の柄は、前端部と後端部との間に延び、後端部は前端部に対向し、前端部には、シェービングカートリッジへの接続のための接続手段が設けられている。
【００２１】
‐剃刀の柄は、断面では、後端部の近傍に滑らかなコーナーを有する一般的な台形状の形状を有する。
‐第１のインサートは前端部の近傍に配置されており、第２のインサートは後端部の近傍に配置されている。
‐第１のインサートは、前端部から長手方向に沿って測定された約３０ｍｍの距離に位置する第１の点に重心を置いている。
【００２２】
‐第２のインサートは、後端部から長手方向に沿って測定された約２０ｍｍの距離に位置する第１の点に重心を置いている。
‐長手方向に沿って測定された第１の点と第２の点との間の距離は、７０ｍｍ〜９０ｍｍである。
‐側面それぞれは、剃刀の柄の前端部の近傍に、離間して突出する複数のピンを備える。
【００２３】
‐第１の孔部は内側壁を有し、保持リングが前記内側壁から突出するとともに、前記第１の孔部の中に前記第１のインサートを維持するための第１のインサートを、少なくとも部分的に、周状に取り囲む。
‐第２の孔部は、長手方向に延びる細長いバーによって分割され、前記細長いバーは、前記第２の孔部の中に前記第２のインサートを維持するための第２のインサートを、少なくとも部分的に、周状に取り囲む部分を備える。
‐第２の孔部は内側壁を備え、前記第２の孔部は、互いに対向するとともに前記内側壁から突出し、かつ前記第２のインサートを前記第２の孔部の中に維持するための第２のインサートの形状に部分的に補完的な形状を有する、２つの突起をさらに備える。
【００２４】
‐第１及び第２の孔部のそれぞれは、細長い本体の内側に備えられた内部空間を区切り、第１及び第２のインサートは、前記第１及び第２の孔部の内部空間よりそれぞれ小さなサイズを有する。
‐剃刀の柄は、断面では、滑らかなコーナーを有する一般的な台形状の形状を有する。
【００２５】
また、本発明は、そのような剃刀の柄及び剃刀の柄に接続されたシェービングカートリッジを備える剃刀に関連する。
【００２６】
本発明の上述の及び他の目的及び利点は、添付の図面に関連して考慮される、本発明の一実施形態の詳細な説明から明確となる。
【図面の簡単な説明】
【００２７】
【図１】シェービングカートリッジに接続された剃刀の柄を備える、本発明に係る剃刀の斜視図である。
【図２】図１の剃刀の斜視図であり、シェービングカートリッジは剃刀の柄から取り外されている。
【図３Ａ】図１の剃刀の柄の上面図である。
【図３Ｂ】図１の剃刀の柄の下面図である。
【図４】図１の剃刀の柄の側面図である。
【図５】図３Ａに示された剃刀の柄の、Ｖ−Ｖ線に沿った長手方向断面図である。
【図６】図５に示された剃刀の柄の、ＶＩ−ＶＩ線に沿った断面図である。
【図７】図３Ａに示された剃刀の柄の、ＶＩＩ−ＶＩＩ線に沿った断面図である。
【図８】図３Ａに示された剃刀の柄の、ＶＩＩＩ−ＶＩＩＩ線に沿った断面図である。
【図９】図３Ａの剃刀の柄の前端部の部分上面図である。
【図１０】図１の剃刀の柄の側面図である。
【図１１Ａ】図１０の剃刀の柄の、線ＸＩＡ−ＸＩＡに沿った断面図である。
【図１１Ｂ】図１０の剃刀の柄の、線ＸＩＢ−ＸＩＢに沿った断面図である。
【図１１Ｃ】図１０の剃刀の柄の、線ＸＩＣ−ＸＩＣに沿った断面図である。
【図１１Ｄ】図１０の剃刀の柄の、線ＸＩＤ−ＸＩＤに沿った断面図である。
【図１１Ｅ】図１０の剃刀の柄の、線ＸＩＥ−ＸＩＥに沿った断面図である。
【図１１Ｆ】図１０の剃刀の柄の、線ＸＩＦ−ＸＩＦに沿った断面図である。
【図１１Ｇ】図１０の剃刀の柄の、線ＸＩＧ−ＸＩＧに沿った断面図である。
【図１１Ｈ】図１０の剃刀の柄の、線ＸＩＨ−ＸＩＨに沿った断面図である。
【図１１Ｉ】図１０の剃刀の柄の、線ＸＩＩ−ＸＩＩに沿った断面図である。
【図１１Ｊ】図１０の剃刀の柄の、線ＸＩＪ−ＸＩＪに沿った断面図である。
【図１１Ｋ】図１０の剃刀の柄の、線ＸＩＫ−ＸＩＫに沿った断面図である。
【図１２】第１の実施形態による剃刀の柄の指による把持を示す図である。
【図１３】別の実施形態による剃刀の柄の指による把持を示す図である。
【発明を実施するための形態】
【００２８】
種々の図において、同じ参照符号は同一の又は同様の要素を示す。
【００２９】
図１は、湿式の髭剃り剃刀１を示す。本発明は、剃刀の柄２及びシェービングカートリッジ３を備える。シェービングカートリッジ３は、好ましくは使い捨て式のシェービングカートリッジであり、１つ又は幾つかの刃３Ａを備え、シェービングカートリッジ３は、図１及び２にそれぞれ示されるように、剃刀の柄２に接続する、又は剃刀の柄２から取り外すことができる。
【００３０】
剃刀の柄２は、通常は湾曲した形状（横方向に見た）を有し、前端部２Ａと、後端部２Ｂとの間で長手方向Ｃに延び、後端部２Ｂは前端部２Ａに対向している。剃刀の柄２は、手が剃刀の柄２を把持するための細長い本体４をもまた有する。より詳細には、細長い本体４は後端部２Ｂから前端部２Ａの近くの位置まで長手方向に延びる。剃刀は、前端部２Ａまでの細長い本体４の延長に接続手段５をさらに備える。言い換えると、細長い本体４は、後端部２Ｂから接続手段５の始まりまで長手方向に延びる。シェービング剃刀１は、後端部２Ｂから接続手段５の自由端まで長手方向に延びる（自由端は、シェービングカートリッジ３に接続される端部）。
【００３１】
図３Ａ及び３Ｂを参照すると、剃刀の柄２は中央面Ｐ１に対して対称であって良く、長手方向Ｃにおいて長さＬを有することを見て取ることができ、長さＬは１００ｍｍ〜１５０ｍｍ、好ましくは約１２５ｍｍである。細長い本体４の長さＬ４は約１００ｍｍ〜約１２０ｍｍであり、接続手段５の長さＬ５は約１５〜２５ｍｍである。
【００３２】
好ましい実施形態では、剃刀の柄２の長さＬは約１２６ｍｍである。接続手段５の長さＬ５は約１７ｍｍである。細長い本体４の長さＬ４は約１０８ｍｍである。
【００３３】
また、剃刀の柄２は、剃刀の柄２の長さＬに沿って変化する高さＨ及び幅Ｗを規定することができる。剃刀の柄２の高さＨは、方向Ｃに沿って変化することができるが、好ましくは１５ｍｍ〜２５ｍｍであり、好ましくは約２０ｍｍである。図４に示すように、細長い本体４の最も小さい高さＨ１は、剃刀の柄２の略中心に位置する。
【００３４】
また、剃刀の柄２が前端部２Ａの近傍に、最大とされた幅Ｗ１を有する第１の大きくされた部分Ｅｐ１を有することは、図３Ａ及び図３Ｂの剃刀の柄２の上面図及び下面図に見ることができる。細長い本体はまた、剃刀の柄２の後端部２Ｂの近傍に位置する、最大とされた幅Ｗ２を有する第２の大きくされた部分Ｅｐ２を備える。第１及び第２の大きくされた部分Ｅｐ１、Ｅｐ２は、剃刀の柄２の略中心に位置する細い部分Ｓｐによってともに接続されている。特に、細い部分Ｓｐは、最小とされた幅Ｗ３を有する。第１の大きくされた部分Ｅｐ１は、この細い部分Ｓｐから接続手段５まで延び、第２の大きくされた部分Ｅｐ２は、後端部２Ｂからこの細い部分Ｓｐまで延びる。第１及び第２の大きくされた部分Ｅｐ１、Ｅｐ２は、長手方向Ｃに沿った長さＬＥｐ１、ＬＥｐ２を有し、これら長さはそれぞれ、第１及び第２の大きくされた部分Ｅｐ１、Ｅｐ２間の、細い部分Ｓｐを有する接続部が滑らかな湾曲を有するように選択されている。
【００３５】
好ましい実施形態では、第１の大きくされた部分Ｅｐ１の長さＬＥｐ１は約２５ｍｍである。第２の大きくされた部分Ｅｐ２の長さＬＥｐ２は約５０ｍｍである。細い部分Ｓｐの長さＬＳｐは約２５ｍｍである。
【００３６】
すべてが図１０に示したような剃刀の柄に沿った断面図である図１１Ａ〜１１Ｋに示すように、剃刀の柄２は断面で、剃刀の柄２の中央の近くに位置するゾーンを除いて滑らかなコーナーを有する一般的な台形状の形状を有する。この特定のゾーンでは、断面における剃刀の柄２の一般的な形状は、図１１Ｈに示すように、より三角形状である。
【００３７】
この一般的な台形状の形状は、例えば図１１Ｄ、１１Ｅ、及び１１Ｉに示されている仮想の台形ＴＺによって、図に強調されている。台形状の形状は、指を置くための４つの異なる面を有し、一方で三角形状は３つの異なる面しか有さない。また、その一般的な台形状の形状の故に、剃刀の柄２はこのように、指による把持のためのより良い、大きな領域を有する。この特定の台形状の形状はしたがって、快適な把持及び髭剃りを容易にする。
【００３８】
図１１Ａ〜１１Ｉには、前端部２Ａの近傍（すなわち、そこでは接続手段５が手による把持を容易にするために設計された凹部を有する）及び後端部２Ｂにおける下面４Ｂを除いて、上面４Ａと下面４Ｂとが凸面であることをさらに見て取ることができる。
【００３９】
接続手段５は細長い本体４と一体であり、細長い本体４から延びるとともに剃刀の柄２の前端部２Ａにおける自由端６Ｂに向かって突出する２つの柔軟なアーム６を備える。言い換えると、柔軟なアーム６と細長い本体４とは一体である。
【００４０】
図９に示されるように、２つのアーム６は、Ｖ字状に配置することができ、剃刀の柄２の長手方向Ｃから分岐し、それぞれには自由端６Ｂにおいてシェービングカートリッジ３への接続のための支持構造７が設けられている。開示されている実施形態において、シェービングカートリッジ３は枢動タイプ（ｐｉｖｏｔａｌ  ｔｙｐｅ）であり、支持構造７は、剃刀の柄２に接続されるときにシェービングカートリッジ３の枢動を可能とし、一方でアーム６間に延びるとともにシェービングカートリッジ上に形成された溝８Ａと協働する長手方向の柔軟な舌部８が、シェービングカートリッジ３を図１に図示されているような静止位置に向かって付勢するばね力を提供する。しかし、シェービングカートリッジ３はまた、剃刀の柄２に対して固定することもできる。
【００４１】
それぞれのアーム６は、その上面に複数の小さな空洞２１をさらに有する。そのような構造は、剃刀の柄２のこの部分の重量及びコストを節約しながら、人間の髭剃りの目的のための接続手段５に十分な構造的強度を提供する。より詳細には、アーム６及び柔軟な舌部８は滑らかなコーナーを有する四角形状の形状を有して、接続手段５の改善されたロバスト性を可能にしている。
【００４２】
細長い本体４は外表面４Ｅ、より詳細には図３Ａ及び３Ｂに示されているような上面４Ａ及び下面４Ｂを有し、下面４Ｂは上面４Ａに対向している。細長い本体４は、上面４Ａと下面４Ｂとの間に備えられているとともに互いに対して対向し、また長手方向Ｃに延びる２つの側面４Ｃ、４Ｄをさらに有する。
【００４３】
細長い本体４及び接続手段５は、第１の材料２２から成形された一体要素を形成する。
第１の材料２２は、いずれの成形可能な材料であって良い。好ましくは、第１の材料２２はプラスティック及びゴムの中から選択される。例えば、細長い本体４及び接続手段５は、熱可塑性材料、例えばアクリルニトリルブタジエンスチレン（ＡＢＳ）又はポリプロピレン（ＰＰ）から成形することができる。
【００４４】
細長い本体４は、第１の孔部９及び第２の孔部１０をさらに含む。第１の孔部９及び第２の孔部１０は剃刀の柄２の第１の大きくされた部分Ｅｐ１及び第２の大きくされた部分Ｅｐ２の中にそれぞれ配置される。
【００４５】
第１の孔部９及び第２の孔部１０は好ましくは貫通孔であり、この貫通孔は細長い本体４の上面４Ａと下面４Ｂとの間に延びる。しかし、第１の孔部９及び第２の孔部１０は細長い本体４の外表面４Ｅに、特に上面４Ａ又は下面４Ｂに開口する、めくら孔とすることもまたできる。
【００４６】
図７及び図８に示されるように、第１の孔部９及び第２の孔部１０はそれぞれ内側壁９Ａ、１０Ａを有し、これら内部側壁９Ａ、１０Ａのそれぞれは、上面４Ａ及び下面４Ｂの間で、細長い本体４の内側に備えられた内部空間９Ｂ、１０Ｂを仕切っている。より詳細には、第１の孔部９及び第２の孔部１０のそれぞれの内側壁９Ａ、１０Ａは、半円状部分９Ｃ、１０Ｃを備え、剃刀の柄２の中心の細い部分Ｓｐに向かってこれら半円状部分９Ｃ、１０Ｃから長手方向ＣにＶ字状に合流している。また、第１の孔部９及び第２の孔部１０は、図３Ａ及び図３Ｂに示されるように上から又は下から見るときに、それぞれ逆方向に向いた滴状の形状を好ましくは有する。言い換えると、上から又は下から見ると、細い部分Ｓｐを介して接続された２つの孔部はある種の８の字を形成する一般的な形状を有する。
【００４７】
剃刀の柄２の指による把持を断面図に示す図１２に示されるように、使用者の指が細長い本体４の側面４Ｃ、４Ｄ（点Ａ）に置かれるとき、空気圧は第１及び第２の孔部９、１０と、剃刀の柄２の周り（点Ｂ）とで同じである。しかし、図１３に示すように、使用者が指を、細長い本体４の上面及び下面４Ａ、４Ｂ上に置くときには、指の表面は孔部の形状、例えば第２の孔部１０の形状にしたがう。
【００４８】
第１の孔部９の長手方向に沿った長さＬ９は、１０ｍｍ〜３０ｍｍ、好ましくは約２０ｍｍである。第２の孔部の長手方向に沿った長さＬ１０は、３０ｍｍ〜５０ｍｍ、好ましくは約４０ｍｍである。また、図３Ｂに示すように、第１の大きくされた部分Ｅｐ１は、接続手段５から剃刀の柄２の中心に向かって配置された第１の孔部９の端部へ延びている。細い部分Ｓｐは、剃刀の柄２の中心に向かって配置された第１の孔部９のこの端部から、これもまた剃刀の柄２の中心に向かって配置された第２の孔部１０の端部へ延びている。第２の大きくされた部分Ｅｐ２は、剃刀の柄２の中心に向かって配置された第２の孔部１０の端部から後端部２Ｂへ延びている。
【００４９】
剃刀の柄２は、第１の孔部９及び第２の孔部１０それぞれの内部空間９Ｂ、１０Ｂ内のそれぞれに配置された第１のインサート１１及び第２のインサート１２をさらに備える。より詳細には、第１のインサート１１及び第２のインサート１２は、図５に示されているように第１の孔部９及び第２の孔部１０内それぞれに部分的に封止されている。さらに、第１のインサート１１及び第２のインサート１２の表面は、直接的に又は間接的に、後述されるように使用者の指に接触可能とすることができる。さらに、第１のインサート１１及び第２のインサート１２のそれぞれの表面は、細長い本体４の上面４Ａ及び／又は下面４Ｂ上のフィンガーレスト領域を形成する。好ましくは、第１のインサート１１及び第２のインサート１２の表面の７５％未満、好ましくは５０％未満は、第１の孔部９及び第２の孔部１０内に封止されている。言い換えると、封止されている第１のインサート１１及び第２のインサート１２の表面は、細長い本体４の第１の材料２２で取り囲まれているので、使用者によって直接的に接触されることはできない。
【００５０】
このように、使用者が髭剃りをしたいときには、その人は指を第１の孔部９及び第２の孔部１０の場所、好ましくは封止されていない第１のインサート１１及び第２のインサート１２の表面上に置くことができる。好ましくは、第１のインサート１１及び第２のインサート１２は、剃刀の柄２が人差し指と親指との間に保持される位置のような所定の髭剃り位置において、親指は上面４Ａの第１のインサート１１上にあり、人差し指は剃刀の柄２の下面４Ｂの第１のインサート１１上にあるように、手による把持を改良する。また別の髭剃り位置では、使用者の親指と人差し指はまた、第２のインサート１２上にあってもよい。以下に詳細に述べるように、第２のインサート１２は、リブ１４が第２のインサート１２を部分的に覆っている場合があるので、上面４Ａ上の使用者の指で直接的に接触できない場合がある。したがって、使用者は、髭剃りの時に細長い本体４の上面４Ａのリブ１４上に指を位置させることができる。しかし、前記リブ１４によって覆われてはいるが、第２のインサート１２は、リブ１４を支持するので、フィンガーレスト領域を形成する。言い換えると、第２のインサート１２は別の材料（すなわちリブ１４の材料）によって少なくとも部分的に覆われるということになる。
【００５１】
第１のインサート１１及び第２のインサート１２は、好ましくは金属、プラスティック、及びゴムの中から選択された材料から成る。特に、第１のインサート１１及び／又は第２のインサート１２は、好ましくは細長い本体４の第１の材料２２の密度とは大幅に異なる密度を有する剛体材料から成る。
【００５２】
例えば、第１のインサート１１及び第２のインサート１２の密度は、細長い本体４の第１の材料２２の密度より大きくすることができる。したがって、第１のインサート１１及び第２のインサート１２は、柄２の体積を大幅に増加させることなく、剃刀の柄２の重量を大きくすることに貢献する。結果として、剃刀の柄２は良好な髭剃りを提供し、シェービングカートリッジ３の刃３Ａと、剃られる使用者の皮膚と、の間に良好な接触がもたらされるのを確実とするのに十分重くすることができる。好ましくは、第１のインサート１１及び第２のインサート１２のそれぞれは、金属のみからなり、他の材料を含まない。
【００５３】
また、第１のインサート１１及び／又は第２のインサート１２に対して選択された材料は、使用者がその指を第１のインサート１１及び第２のインサート１２上に位置させるときに、使用者の検知経験に影響を与える場合がある。例として、金属から成るインサートは使用者の指とピンポイントの接触を提供し、したがって髭剃りからのすべての伝達される振動の情報を可能にする。逆に、熱可塑性材料のようなゴムから成るインサートは髭剃りからのほとんどの振動を吸収し、それら振動を使用者の指に伝達することはない。
【００５４】
代替例として、第１のインサート１１及び第２のインサート１２は、両方が必ずしも同じ材料でなくてもよい。例えば、第１の孔部９内に設けられた第１のインサート１１は金属から成ることができ、第２の孔部１０内に設けられた第２のインサート１２はゴムから成ってもよく、又はその逆であってもよい。
【００５５】
また別の代替形として、第１のインサート１１を金属から成る球体とし、第２のインサート１２をゴムから成る球体とすることができる。この最後の代替形によれば、第１のインサート１１は、このように金属から成り、使用者がその人差し指をその上に置くときに快適な感覚と柄のコントロールとを強化する。それはまた、金属から成る第１のインサートと、細長い本体４の第１の材料２２との間に存在する質感、温度、及び形状の差によって、使用者の方向性のある触覚のフィードバックを向上させる。第２のインサート１２は、したがって剃刀の柄２上に指を置いたときに、柔らかさを高める球体である。それはまた、第１のインサート１１が金属製球体であるこの特定の代替形における第１のインサートの視覚的継続性を向上させる。
【００５６】
さらに、第１のインサート１１及び第２のインサート１２のそれぞれはまた、いくつかの材料で作ることもできる。特に、第１のインサート１１及び第２のインサート１２は、滑らかな表面を有する別の材料の層で覆うことができる。例としては、第１のインサート１１及び第２のインサート１２は金属から作られ、ゴムの層で覆われてもよい。この実施形態では、層は０．５μｍ〜１．６μｍ（粗さＲａ）を備える表面仕上げを有することができる。
【００５７】
第１のインサート１１及び第２のインサート１２はまた、でこぼこな表面、例えば刻み付きパターン（ｋｎｕｒｌｅｄ  ｐａｔｔｅｒｎ）又はディボットパターン（ｄｉｖｏｔ  ｐａｔｔｅｒｎ）によるクレーター又はバンプを有してもよい。実際のところ、第１のインサート１１及び第２のインサート１２の表面のタイプは、使用者がその指を第１のインサート１１及び第２のインサート１２に位置付けるときに、使用者の触知性に影響する。
【００５８】
また別の代替例として、第１のインサート１１及び／又は第２のインサート１２は、一方の半球がゴムから成り、他方の半球がプラスティックから成る球体とすることができる。このように、第１のインサート１１及び第２のインサート１２は、異なるタイプのフィンガーレスト領域を提供することによって２つの目的を果たすことができる。
【００５９】
したがって、第１のインサート１１及び第２のインサート１２によって、細長い本体４は、既知の剃刀の柄に使用される材料に比べたときに、軽く、安い材料から作ることができる。それでもなお、第１の材料２２の軽さにもかかわらず、第１のインサート１１及び第２のインサート１２のおかげで、剃刀の柄２は依然として良質な外観と、最適化された重量を有する。  さらに、剃刀の柄２の重量は、剃刀の柄２の前端分２Ａ及び後端部２Ｂに限定されて（ｌｏｃａｌｉｚｅｄ）選択され、したがって剃刀の柄２の良好なバランスを確実にしている。
【００６０】
第１のインサート１１及び／又は第２のインサート１２は、球状の形状を有することができる。第１のインサート１１及び／又は第２のインサート１２は、卵型状の形状を有することができる。より一般的には、インサートは、平行六面体、立方体、又は円柱状の形状のようないずれかの他の形状を有することができる。さらに、第１のインサート１１及び第２のインサート１２は、同じ形状を有することができ、又は異なる形状を有することができる。同様に、第１のインサート１１及び第２のインサート１２は、同じ寸法を有することも、異なる寸法を有することもできる。さらに、第１のインサート１１及び第２のインサート１２は、同じ材料を含むことも、異なる材料を含むこともできる。
【００６１】
好ましくは、第１のインサート１１及び第２のインサート１２の包含（ｉｎｃｌｕｓｉｏｎ）は、細長い本体４の形状の過剰な変形をもたらすことはない。さらに、細長い本体４の形状は、インサートを含まない細長い本体の形状と同様に維持される。図１〜３及び５〜８に示すように、第１のインサート１１及び第２のインサート１２のそれぞれは、好ましくは単一の球である。しかし、第１のインサート１１及び第２のインサート１２は、完全な球体でなくてもよく、部分的な曲面、特にフィンガーレスト領域を提供する部分的な球面を単に備えてもよい。
【００６２】
さらに、第１のインサート１１及び第２のインサート１２は、第１の孔部９及び第２の孔部１０それぞれの内部空間９Ｂ、１０Ｂよりそれぞれ小さい（ｉｎｆｅｒｉｏｒ）サイズを有する。また、図４Ａ及び図３Ｂに示されているように、長手方向Ｃの第１の孔部及び第２の孔部の長さＬ９、Ｌ１０は、第１のインサート１１及び第２のインサート１２の長手方向の大きさより大きい。より具体的には、インサートが図に示すように球体である特定の実施形態において、そのような球体は、１０ｍｍ〜２０ｍｍ、好ましくは１５ｍｍ未満、より好ましくは約１２ｍｍの直径Ｄを有する。
【００６３】
一実施形態では、第１のインサート１１及び第２のインサート１２は好ましくは、第１の孔部９及び第２の孔部１０内にそれぞれ保持され、有利には固定されており、したがって、使用者が第１の孔部９及び第２の孔部１０から取り外すことはできない。さらに、第１のインサート１１及び第２のインサート１２は、第１の孔部９及び第２の孔部１０中でいずれの態様でも動くことができない。その結果として、第１のインサート１１及び第２のインサート１２は、第１の孔部９及び第２の孔部１０に対してそれぞれ動くことができない（すなわち動かせない又は静止している）。動かない第１のインサート１１及び第２のインサート１２はしたがって、フィンガーレスト領域を形成する。より正確には、第１のインサート１１及び第２のインサート１２はそれらの対応する第１の孔部９及び第２の孔部１０の中で滑動できない。
【００６４】
より具体的には、図７に示すように、保持リング１３が剃刀の柄２の対象面Ｐ１に垂直な平面Ｐ２において第１の孔部９の内側壁９Ａから突出し、前記第１のインサート１１を前記第１の孔部９内に維持するために第１のインサート１１を部分的に周状に取り囲む。
【００６５】
しかし、また別の実施形態では、第１のインサート１１及び／又は第２のインサート１２は、それ自身の軸の回りにそれ自体ですべての方向に回転することができる球体とすることができる。また、第１のインサート１１と、保持リング１３と、の間に隙間を設けることができ、それによって、第１のインサート１１が球体であるときに、第１のインサート１１の回転を容易にしている。この隙間は、第１のインサート１１の選択された回転の自由度に応じて、０．００５μｍ〜０．０２５μｍとすることができる。隙間が小さいほど、第１のインサート１１が容易に回転しないようにし、隙間が大きいほど、回転を容易にする。第１のインサート１１及び／又は第２のインサート１２、並びに／或いは第１の孔部９及び／又は第２の孔部１０の表面仕上げが、この可動性、特に回転を可能にするように適用される。
【００６６】
したがって、その場合には、第１のインサート１１及び／又は第２のインサート１２のうちの一方が動かないようにすることができる。
【００６７】
また別の実施形態では、第１のインサート１１及び第２のインサート１２の両方が可動である。第１のインサート１１及び第２のインサート１２は、例えば可動である、特にそれらの対応する第１の孔部９及び第２の孔部１０内で、それら自身の周りに滑動する球体とすることができる。
【００６８】
第１のインサート１１及び／又は第２のインサート１２が異なる材料から成り、したがって異なる密度を有する２つの半球を備える場合には、使用者は第１のインサート１１と第２のインサート１２とを回転させることによって必要に応じて２つの半球間で切り替えることができる。
【００６９】
そのような可動な第１のインサート１１及び／又は第２のインサート１２上に指のうちの１つを置くことができる使用者は、その指を第１のインサート１１及び／又は第２のインサート１２上で絶えず滑らしながら髭剃りをすることが難しいことがわかるだろう。したがって、髭剃りは不正確で心地よくない。
【００７０】
結果として、第１のインサート１１又は第２のインサート１２が対応する第１の孔部９又は第２の孔部１０に対してそれぞれ可動であるときには、第１のインサート１１又は第２のインサート１２はフィンガーレスト領域を形成できない。より正確には、第１のインサート１１が可動であるときには、第１のインサート１１はフィンガーレスト領域ではあり得ない。
【００７１】
図８に示すように、第２の孔部１０は、長手方向Ｃに、第２の孔部１０の中において平面Ｐ１内で延びる細長いバー１４によって２つの部分に分割されている。細長いバー１４は、第２の孔部１０内に第２のインサート１２を維持するための、第２のインサート１２を周状に部分的に取り囲む部分１４Ａを備える。第２の孔部１０の内側壁１０Ａは、互いに対向するとともに内側壁１０Ａから突出し、かつ第２の孔部１０内に第２のインサート１２を維持するための、第２のインサート１２の形状に部分的に補完的である形状を有する２つの小さな突起１５Ａ、１５Ｂをもまた備える。しかし、第１のインサート１１に関して上述したように、隙間もまた、第２のインサート１２と、部分１４Ａとの間に設けることができ、それによってこの第２のインサート１２が球体である場合には、第２のインサート１２の回転を容易にする。
【００７２】
第１の孔部９及び第２の孔部１０の中にそれぞれ維持することによって、第１のインサート１１及び第２のインサート１２はそれぞれ剃刀の柄２の前端部２Ａ及び後端部２Ｂに配置される。好ましくは、第１のインサート１１は、前端部２Ａから約２５ｍｍの長手方向（Ｃ）に沿って測定された距離Ｌ１１に配置された第１の点１１Ａ上に重心を置いている。第２のインサート１２は後端部１Ｂの近傍に配置される。好ましくは、第２のインサート１２は、後端部２Ｂから約２５ｍｍの長手方向Ｃに沿って測定された距離Ｌ１２に配置された第２の点１２Ａ上に重心を置いている。
【００７３】
図５に示すように、第１のインサート１１及び第２のインサート１２が球体である特定の実施形態では、第１の点１１Ａ及び第２の点１２Ａそれぞれは、前記第１のインサート１１及び第２のインサート１２の中心に対応する。
【００７４】
長手方向（Ｃ）に沿って測定された第１の点１１Ａと第２の点１２Ａとの間の距離Ｌ１１−１２は、好ましくは６０ｍｍ〜１００ｍｍ、好ましくは約７８ｍｍである。しかし、この距離Ｌ１１−１２は、細長い本体４の長さＬ４並びに第１のインサート及び第２のインサート１２による望ましい重量バランスに依存して変化する場合がある。
【００７５】
特に、インサートの無い既知の剃刀は通常、剃刀の柄の中心、又は剃刀の柄の方に前端部にわずかに向かって位置するバランスの中心を有する。このために、剃刀の柄の後端部はその前端部よりも大幅に大きくすることはできず、逆もまたできず、それによってこのバランスの中心を達成している。本発明では、剃刀の柄２の前端部２Ａ及び後端部２Ｂから正確な距離に第１のインサート１１及び第２のインサート１２を加えることによって、剃刀の柄２の形状に関係なくこのバランスの中心の位置を制御することが可能である。例えば、第２の大きくされた部分Ｅｐ２が第１の大きくされた部分Ｅｐ１よりも大幅に大きいとしても、バランスの中心を長手方向（Ｃ）における剃刀の柄２の中心に置くことができる。
【００７６】
細長い本体４は、いくつかの異なる材料を備えることができる。例えば、細長い本体４はまた、第１の材料２２とは異なる、好ましくはプラスティック及びゴムの中から選択された第２の材料２３の層を備えることができる。第１の材料２２は剃刀の柄２に構造的な強度を提供し、一方で第２の材料は２３快適な手での把持と、いずれのシェービング位置においても確かな指でのグリップのために必要とされる柔らかさと、を提供する。
【００７７】
図３Ａ及び３Ｂに示すように、上面４Ａの少なくとも一部分１９及び下面４Ｂの少なくとも一部分２０、並びにこれら面４Ａ、４Ｂの大部分は第２の材料で覆うことができ、それによって前記部分１９、２０それぞれは上側把持領域及び下側把持領域を形成する。
【００７８】
例えば図１１Ａ〜１１Ｋに見ることができるように、第２の材料２３は、細長い本体４の上面４Ａの大部分、好ましくはすべてを覆う。また、第２の材料２３も、細長い本体４の下面４Ａの大部分、好ましくはすべてを覆う。
【００７９】
図７に示すように、第２の材料２３もまた少なくとも部分的に第１の孔部９の内側壁９Ｂ上を、第１のインサート１１を維持する保持リング１３を覆うことなく、オーバーフローすることができる。
【００８０】
細長い本体４の側面４Ｃ、４Ｄは、第２の材料から成る複数の滑らかなリブ１６をさらに備える。図４に示すように、細長い本体４の側面４Ｃ、４Ｄそれぞれは、好ましくは上側把持領域１９及び下側把持領域２０をともに接続する複数のリブ１６を備える。図４に示す特定の実施形態では、第１の大きくされた部分Ｅｐ１の側面４Ｃ、４Ｄは２つのリブ１６を備え、第２の大きくされた部分Ｅｐ２の側面４Ｃ、４Ｄは４つのリブ１６を備える。
【００８１】
図１〜４及び９に示すように、側面４Ｃ、４Ｄのそれぞれもまた、接続手段５と一体であるとともに接続手段５の細長い本体４との結合点において剃刀の柄２の前端部２Ａの近傍に配置された複数の離間した突出するピン１８を備える、側部把持領域１７を備える。側部把持領域１７は、特に親指と人差し指とが前端部２Ａ及び好ましくは正確な髭剃りの必要性を満足させるためのアーム６の非常に近くに位置するシェービング位置における、剃刀の柄２の指による把持を強化する。
【００８２】
本発明によれば、（第１及び／又は第２の）インサートを、その対応する孔部内において可動若しくは不動にすることができ、さらに、（第１及び／又は第２の）インサートを、球状又はインサートの可動性を可能にする他のいずれかの形状にすることができる。
（第１及び／又は第２の）インサート及び／又は（第１及び／又は第２の）孔部の材料及び／又は表面仕上げは、この可動性、特に回転による可動性を可能にするように適用される。さらに、（第１及び／又は第２の）インサートはたとえ可動である場合であっても、対応する孔部に挿入されている場合には柄から取り外し可能ではない。
【符号の説明】
【００８３】
Ｃ              長手方向
２              剃刀の柄
２Ａ            前端部
２Ｂ            後端部
３              シェービングカートリッジ
４              細長い本体
４Ａ            上面
４Ｂ            下面
４Ｃ、４Ｄ      側面
４Ｅ            外表面
５              接続手段
９              第１の孔部
９Ａ            内側壁
９Ｂ、１０Ｂ    内部空間
１０            第２の孔部
１０Ａ          内側壁
１１            第１のインサート
１１Ａ          第１の点
１２            第２のインサート
１２Ａ          第２の点
１３            保持リング
１４            細長いバー
１４Ａ          取り囲む部分
１５Ａ、１５Ｂ  突起
１６            リブ
１８            ピン
１９            上側把持領域
２０            下側把持領域
２２            第１の材料
２３            第２の材料
【図１】
0006427593.tif 000002
【図２】
0006427593.tif 000003
【図３Ａ】
0006427593.tif 000004
【図３Ｂ】
0006427593.tif 000005
【図４】
0006427593.tif 000006
【図５】
0006427593.tif 000007
【図６】
0006427593.tif 000008
【図７】
0006427593.tif 000009
【図８】
0006427593.tif 000010
【図９】
0006427593.tif 000011
【図１０】
0006427593.tif 000012
【図１１Ａ】
0006427593.tif 000013
【図１１Ｂ】
0006427593.tif 000014
【図１１Ｃ】
0006427593.tif 000015
【図１１Ｄ】
0006427593.tif 000016
【図１１Ｅ】
0006427593.tif 000017
【図１１Ｆ】
0006427593.tif 000018
【図１１Ｇ】
0006427593.tif 000019
【図１１Ｈ】
0006427593.tif 000020
【図１１Ｉ】
0006427593.tif 000021
【図１１Ｊ】
0006427593.tif 000022
【図１１Ｋ】
0006427593.tif 000023
【図１２】
0006427593.tif 000024
【図１３】
0006427593.tif 000025